【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
樹脂組成物であって、
少なくとも15質量%であり24質量％未満のポリプロピレン(PP)と、
少なくとも40質量%の非PPポリマーと、
少なくとも1質量%の相溶化剤であって、無機粒子材料および前記無機粒子の表面上の表面処理剤を含む相溶化剤と
を含み、過酸化物含有添加剤を実質的に含まないことを特徴とする、樹脂組成物。
【請求項２】
23質量％未満のポリプロピレンを含み、例えば16〜19質量％のポリプロピレン、例えば17〜18質量％のポリプロピレン、例えば17質量％のポリプロピレン、例えば17.0質量％のポリプロピレンを含む、請求項1に記載の樹脂組成物。
【請求項３】
前記ポリプロピレンの全部が、リサイクルされたポリプロピレンである、請求項2に記載の樹脂組成物。
【請求項４】
前記非PPポリマーが、ポリエチレンを含むか、本質的にポリエチレンからなるか、またはポリエチレンからなり、任意で、前記ポリエチレンが、少なくとも2種の異なるタイプのポリエチレン、例えば少なくとも2種の異なるタイプのリサイクルされたポリエチレン、例えばリサイクルされたHDPEと、別のリサイクル源からの少なくとも1種の他のタイプのポリエチレン、例えばHDPEとを含む、請求項1〜3のいずれか1項に記載の樹脂組成物。
【請求項５】
少なくとも50質量％のポリエチレン、例えば50〜75質量％のポリエチレンを含む、請求項1〜4のいずれか1項に記載の樹脂組成物。
【請求項６】
(i)第2の充填剤、例えばカーボンブラック、例えば1〜4質量％のカーボンブラック、および／または、(ii)耐衝撃性改良剤、例えば1〜20質量％の耐衝撃性改良剤、および／または、(iii)酸化防止剤、例えば5質量％までの酸化防止剤を含む、請求項1〜5のいずれか1項に記載の樹脂組成物。
【請求項７】
(A)前記樹脂組成物が、
15質量％から20質量％未満までのポリプロピレンと、
50〜75質量％のポリエチレンと、
5〜35質量％の相溶化剤と、
0.1〜4質量％のカーボンブラックと、
1〜10質量%の耐衝撃性改良剤と、
5質量％までの、過酸化物含有添加剤以外の追加の添加剤、例えば酸化防止剤と
から本質的になるか、または、
(B)前記樹脂組成物が、
15質量％から20質量％未満までのポリプロピレンと、
50〜75質量％のポリエチレン、例えば、60〜75質量％のポリエチレンと、
5〜35質量％の相溶化剤、例えば5〜15質量％の相溶化剤と、
0.5〜2質量％のカーボンブラックと、
1〜10質量％の耐衝撃性改良剤、例えば2〜5質量％の耐衝撃性改良剤と、
2質量％までの酸化防止剤と
からなり、ただし、前記樹脂中の成分の総質量は合計で100％である、
請求項1〜6のいずれか1項に記載の樹脂組成物。
【請求項８】
(i)前記ポリプロピレンおよびポリエチレンの全部が、リサイクルされたポリプロピレンおよびポリエチレンであり、任意で、前記耐衝撃性改良剤は、存在する場合、リサイクルされたポリマーに由来するか、
(ii)耐衝撃性改良剤以外の前記樹脂組成物中の全ポリマーの90〜100質量％が、ポリプロピレンおよびポリエチレンであるか、または、
(iii)前記樹脂中の前記ポリマーの全部が、リサイクルされたポリマーである、
請求項1〜7のいずれか1項に記載の樹脂組成物。
【請求項９】
前記表面処理剤が、式(1)を有する第1の化合物：
A-(X-Y-CO)m(O-B-CO)nOH                    (1)
(式中、
Aは、1個または2個の隣接するカルボニル基との末端エチレン結合を含有する部分であり；
Xは、Oであり、かつmは、1〜4であるか、またはXは、Nであり、かつmは、1であり；
Yは、C1-18-アルキレンまたはC2-18-アルケニレンであり；
Bは、C2-6-アルキレンであり；nは、0〜5である；
ただし、Aが前記エチレン基に隣接する２個のカルボニル基を含有する場合、XはNである)
を含む、請求項1〜8のいずれか1項に記載の樹脂組成物。
【請求項１０】
前記第1の化合物が、β-カルボキシエチルアクリレート、β-カルボキシヘキシルマレイミド、10-カルボキシデシルマレイミド、5-カルボキシペンチルマレイミドおよびβ-アクリロイルオキシプロパン酸から選択される、請求項9に記載の樹脂組成物。
【請求項１１】
前記相溶化剤が、無機粒子材料および前記粒子の表面上の有機リンカーを含み、前記有機リンカーが、酸素含有酸官能性を有し、前記有機リンカーが、有機酸の塩基形態である、請求項1〜8のいずれか1項に記載の樹脂組成物。
【請求項１２】
請求項1〜11のいずれか1項に記載の樹脂組成物を含むかまたはそこから形成された、ケーブルまたはケーブル保護材であって、例えば、条件Bの下でASTM D1693-01に従って測定することができる、少なくとも50時間、例えば少なくとも150時間、または少なくとも250時間、または少なくとも400時間、または少なくとも500時間の環境応力亀裂耐性(ESCR)を有する、ケーブルまたはケーブル保護材。
【請求項１３】
請求項1〜11のいずれか1項に記載の樹脂組成物を含むかまたはそれから形成された、回転成形物品。
【請求項１４】
請求項1〜11のいずれか1項に記載の樹脂組成物の使用であって、そこから形成されるケーブルまたはケーブル保護材の耐候性またはESCRを高めるための使用。
【請求項１５】
請求項1〜11のいずれか1項に記載の樹脂組成物を製造する方法であって、前記ポリプロピレンと非PPポリマー、例えばポリエチレンとを、前記相溶化剤と過酸化物含有添加剤以外の他の任意の添加剤と共にコンパウンディングする工程を含み、任意で、ポリプロピレンとポリエチレンとを含むリサイクルされた混合ポリオレフィン供給材料を用意し、任意で前記リサイクルされた混合ポリオレフィン供給材料をポリエチレンおよび／またはポリプロピレンの他の供給源と組み合わせる工程、およびコンパウンディングする工程をさらに含み、任意で、前記樹脂組成物を押出成形して、ケーブルまたはケーブル保護材を形成する工程をさらに含むことを特徴とする、方法。
【手続補正２】
【補正対象書類名】明細書
【補正対象項目名】００５７
【補正方法】変更
【補正の内容】
【００５７】
【表１】
2019516831.tif 000001
本発明のまた別の態様は、以下のとおりであってもよい。
〔１〕樹脂組成物であって、
少なくとも15質量%のポリプロピレン(PP)と、
少なくとも約40質量%の非PPポリマーと、
少なくとも約1質量%の相溶化剤であって、無機粒子材料および前記無機粒子の表面上の表面処理剤を含む相溶化剤と
を含み、過酸化物含有添加剤を実質的に含まないことを特徴とする、樹脂組成物。
〔２〕24質量％未満のポリプロピレン、例えば23質量％未満のポリプロピレンを含む、前記〔1〕に記載の樹脂組成物。
〔３〕16〜19質量％のポリプロピレンを含む、前記〔1〕に記載の樹脂組成物。
〔４〕17〜18質量％のポリプロピレンを含む、前記〔2〕に記載の樹脂組成物。
〔５〕約17質量％のポリプロピレン、例えば17.0質量％のポリプロピレンを含む、前記〔3〕に記載の樹脂組成物。
〔６〕前記ポリプロピレンの全部が、リサイクルされたポリプロピレンである、前記〔4〕に記載の樹脂組成物。
〔７〕前記非PPポリマーが、ポリエチレンを含むか、本質的にポリエチレンからなるか、またはポリエチレンからなり、任意で、前記ポリエチレンが、少なくとも2種の異なるタイプのポリエチレン、例えば少なくとも2種の異なるタイプのリサイクルされたポリエチレン、例えばリサイクルされたHDPEと、別のリサイクル源からの少なくとも1種の他のタイプのポリエチレン、例えばHDPEとを含む、前記〔1〕〜〔6〕のいずれか1項に記載の樹脂組成物。
〔８〕少なくとも約50質量％のポリエチレン、例えば約50〜75質量％のポリエチレンを含む、前記〔1〕〜〔7〕のいずれか1項に記載の樹脂組成物。
〔９〕第2の充填剤、例えばカーボンブラック、例えば約1〜4質量％のカーボンブラックを含む、前記〔1〕〜〔8〕のいずれか1項に記載の樹脂組成物。
〔１０〕耐衝撃性改良剤、例えば約1〜20質量％の耐衝撃性改良剤を含む、前記〔1〕〜〔9〕のいずれか1項に記載の樹脂組成物。
〔１１〕酸化防止剤、例えば約5質量％までの酸化防止剤を含む、前記〔1〕〜〔10〕のいずれか1項に記載の樹脂組成物。
〔１２〕15質量％から20質量％未満までのポリプロピレンと、
50〜75質量％のポリエチレンと、
5〜35質量％の相溶化剤と、
0.1〜4質量％のカーボンブラックと、
1〜10質量%の耐衝撃性改良剤と、
5質量％までの、過酸化物含有添加剤以外の追加の添加剤、例えば酸化防止剤と
から本質的になる、前記〔1〕〜〔11〕のいずれか1項に記載の樹脂組成物。
〔１３〕15質量％から20質量％未満までのポリプロピレンと、
50〜75質量％のポリエチレン、例えば、60〜75質量％のポリエチレンと、
5〜35質量％の相溶化剤、例えば5〜15質量％の相溶化剤と、
0.5〜2質量％のカーボンブラックと、
1〜10質量％の耐衝撃性改良剤、例えば2〜5質量％の耐衝撃性改良剤と、
2質量％までの酸化防止剤と
からなり、ただし、前記樹脂中の成分の総質量は合計で100％である、前記〔1〕〜〔12〕のいずれか1項に記載の樹脂組成物。
〔１４〕前記ポリプロピレンおよびポリエチレンの全部が、リサイクルされたポリプロピレンおよびポリエチレンであり、任意で、前記耐衝撃性改良剤は、存在する場合、リサイクルされたポリマーに由来する、前記〔1〕〜〔13〕のいずれか1項に記載の樹脂組成物。
〔１５〕耐衝撃性改良剤以外の前記樹脂組成物中の全ポリマーの90〜100質量％が、ポリプロピレンおよびポリエチレンである、前記〔1〕〜〔14〕のいずれか1項に記載の樹脂組成物。
〔１６〕前記樹脂中の前記ポリマーの全部が、リサイクルされたポリマーである、前記〔1〕〜〔15〕のいずれか1項に記載の樹脂組成物。
〔１７〕前記表面処理剤が、式(1)を有する第1の化合物：
A-(X-Y-CO)m(O-B-CO)nOH                    (1)
(式中、
Aは、1個または2個の隣接するカルボニル基との末端エチレン結合を含有する部分であり；
Xは、Oであり、かつmは、1〜4であるか、またはXは、Nであり、かつmは、1であり；
Yは、C1-18-アルキレンまたはC2-18-アルケニレンであり；
Bは、C2-6-アルキレンであり；nは、0〜5である；
ただし、Aが前記エチレン基に隣接する２個のカルボニル基を含有する場合、XはNである)
を含む、前記〔1〕〜〔16〕のいずれか1項に記載の樹脂組成物。
〔１８〕前記第1の化合物が、β-カルボキシエチルアクリレート、β-カルボキシヘキシルマレイミド、10-カルボキシデシルマレイミド、5-カルボキシペンチルマレイミドおよびβ-アクリロイルオキシプロパン酸から選択される、前記〔17〕に記載の樹脂組成物。
〔１９〕前記相溶化剤が、無機粒子材料および前記粒子の表面上の有機リンカーを含み、前記有機リンカーが、酸素含有酸官能性を有し、前記有機リンカーが、有機酸の塩基形態である、前記〔1〕〜〔16〕のいずれか1項に記載の樹脂組成物。
〔２０〕前記〔1〕〜〔19〕のいずれか1項に記載の樹脂組成物を含むかまたはそこから形成された、ケーブルまたはケーブル保護材。
〔２１〕耐候性が高められた、前記〔20〕に記載のケーブルまたはケーブル保護材。
〔２２〕条件Bの下でASTM D1693-01に従って測定することができる、少なくとも約50時間、例えば少なくとも約150時間、または少なくとも約250時間、または少なくとも約400時間、または少なくとも約500時間の環境応力亀裂耐性(ESCR)を有する、前記〔20〕または〔21〕に記載のケーブルまたはケーブル保護材。
〔２３〕前記〔20〕、〔21〕または〔22〕に記載のケーブル保護材を備えた、例えばそれで包まれたケーブルまたはワイヤー。
〔２４〕前記〔1〕〜〔19〕のいずれか1項に記載の樹脂組成物を含むかまたはそれから形成された、回転成形物品。
〔２５〕ケーブルまたはケーブル保護材の製造における、前記〔1〕〜〔19〕のいずれか1項に記載の樹脂組成物の使用。
〔２６〕前記〔1〕〜〔19〕のいずれか1項に記載の樹脂組成物の使用であって、そこから形成されるケーブルまたはケーブル保護材の耐候性またはESCRを高めるための使用。
〔２７〕条件Bの下でASTM D1693-01に従って測定することができる、少なくとも約50時間、例えば少なくとも約150時間、または少なくとも約250時間、または少なくとも約400時間、または少なくとも約500時間、または少なくとも約10000時間のESCRを有する物品の製造における、少なくともポリプロピレンとポリエチレンとを含むリサイクルされた混合ポリオレフィン流の使用。
〔２８〕条件Bの下でASTM D1693-01に従って測定することができる、少なくとも約50時間、例えば少なくとも約150時間、または少なくとも約250時間、または少なくとも約400時間、または少なくとも約500時間、または少なくとも約1000時間のESCRを有する物品を製造する方法であって、ポリプロピレンとポリエチレンとを含むリサイクルされた混合ポリオレフィン流に由来する樹脂組成物から前記物品を成形する工程を含むことを特徴とする、方法。
〔２９〕前記樹脂組成物が、少なくとも約15質量％のポリプロピレンと少なくとも約40質量％のポリエチレンと、少なくとも約1質量％の相溶化剤とを含み、前記相溶化剤が、無機粒子材料および前記無機粒子の表面上の表面処理剤を含み、前記樹脂組成物が、過酸化物含有添加剤を含むかまたは含まない、前記〔25〕または前記〔26〕に記載の使用または方法。
〔３０〕前記〔1〕〜〔19〕のいずれか1項に記載の樹脂組成物を製造する方法であって、前記ポリプロピレンと非PPポリマー、例えばポリエチレンとを、前記相溶化剤と過酸化物含有添加剤以外の他の任意の添加剤と共にコンパウンディングする工程を含むことを特徴とする、方法。
〔３１〕ポリプロピレンとポリエチレンとを含むリサイクルされた混合ポリオレフィン供給材料を用意し、任意で前記リサイクルされた混合ポリオレフィン供給材料をポリエチレンおよび/またはポリプロピレンの他の供給源と組合せて、前記〔30〕に記載の方法に従ってコンパウンディングする、前記〔31〕に記載の方法。
〔３２〕ケーブルまたはケーブル保護材を製造する方法であって、前記〔1〕〜〔19〕のいずれか1項に記載の樹脂組成物を押出成形して、前記ケーブルまたはケーブル保護材を形成する工程を含み、任意で前記〔30〕または〔31〕に記載の樹脂組成物を製造する工程をさらに含むことを特徴とする、方法。
〔３３〕前記〔24〕に記載の回転成形物品の製造方法であって、前記〔1〕〜〔19〕のいずれか1項に記載の樹脂組成物を回転成形することにより前記物品を形成する工程を含むことを特徴とする、方法。